(57)【要約】【課題】機器取り付け板の有効面積を拡大することができる機器収納用箱体を提供する。【解決手段】箱体本体２の内側背面に２本のレール４を平行に設け、機器取り付け板６の上下両端部の背面に支持板５を当接し、支持板５に穿設した螺子挿通孔に背面側から螺子１１を挿通させ、螺子１１の先端が機器取り付け板６の表面から突出しないように螺着し、機器取り付け板６が固定された支持板５をレール４，４間に当接させて支持板５のネジ挿通孔に前面から取付ネジ１２を挿通させてレール４のネジ孔に螺合させることにより機器取り付け板６を取り付ける。【選択図】図１
2006296021.tif 000002
【特許請求の範囲】
【請求項１】
前面を開口した箱体本体の内側背面に各種機器を固定するための機器取り付け板が設けられる機器収納用箱体において、前記箱体本体の内側背面に２本のレールを平行に設け、前記機器取り付け板の対向する両端部背面に支持板を当接し、該支持板に複数穿設した螺子挿通孔に背面側から螺子を挿通させ、該螺子の先端が前記機器取り付け板の表面から突出しないように螺着し、前記支持板を前記レール間に固定手段により固定したことを特徴とする機器収納用箱体。
【請求項２】
前記箱体本体の背面に背面開口部を形成したことを特徴とする請求項１に記載の機器収納用箱体。
【請求項３】
前記機器取り付け板が前記箱体本体の背面開口部より小さいことを特徴とする請求項２に記載の機器収納用箱体。
【発明の詳細な説明】
【技術分野】
【０００１】
本発明は、内部に電気機器や通信機器などの各種機器を収納する機器収納用箱体に関し、詳しくは各種機器を固定する機器取り付け板の取り付け構造に関する。
【背景技術】
【０００２】
従来、内部に電気機器や通信機器などの各種機器を固定するための機器取り付け板が設けられる機器収納用箱体は、前面を開口した箱体本体の背面４隅に設けられた取り付け金具を介してボルトが垂設され、機器取り付け板の４隅に形成された取付孔を箱体本体のボルトに前面から挿通し、ナットで締め付けて機器取り付け板を固定していた（例えば、特許文献１，特許文献２参照）。
【０００３】
【特許文献１】特開２００２−２３８１１５号公報（第１図）
【特許文献２】特開２００３−３１８５６０号公報（第１，４図）
【発明の開示】
【発明が解決しようとする課題】
【０００４】
このため、従来の機器収納用箱体は、機器取り付け板の表面にボルトの先端とナットが突出するので機器取り付け板全体を有効に利用できないという欠点があった。また、機器取り付け板の固定位置が決まっているので機器取り付け板のサイズが容易には変更できなかった。
【課題を解決するための手段】
【０００５】
本発明は、請求項１に記載の発明によれば、前面を開口した箱体本体の内側背面に各種機器を固定するための機器取り付け板が設けられる機器収納用箱体において、箱体本体の内側背面に２本のレールを平行に設け、機器取り付け板の対向する両端部背面に支持板を当接し、支持板に複数穿設した螺子挿通孔に背面側から螺子を挿通させ、螺子の先端が機器取り付け板の表面から突出しないように螺着し、支持板をレール間に固定手段により固定したことを特徴とする。
【０００６】
請求項２に記載の発明によれば、請求項１に記載の機器収納用箱体において、箱体本体の背面に背面開口部を形成したことを特徴とする。
【０００７】
請求項３に記載の発明によれば、請求項２に記載の機器収納用箱体において、機器取り付け板が箱体本体の背面開口部より小さいことを特徴とする。
【発明の効果】
【０００８】
請求項１に記載の発明によれば、機器取り付け板の有効面積を拡大することができ、また、機器取り付け板のサイズを容易に変更することができるという効果がある。
【０００９】
請求項２に記載の発明によれば、請求項１に記載の発明の効果に加えて、箱体本体の背面から機器取り付け板を支持板に螺着固定することができて作業性が向上するという効果がある。
【００１０】
請求項３に記載の発明によれば、請求項２に記載の発明の効果に加えて、背面開口部を通して箱体本体に配線を引き込むことをができるという効果がある。
【発明を実施するための最良の形態】
【００１１】
箱体本体の内側背面に２本のレールを平行に設け、機器取り付け板の上下両端部の背面に支持板を当接し、支持板に穿設した螺子挿通孔に背面側から螺子を挿通させ、螺子の先端が機器取り付け板の表面から突出しないように螺着し、機器取り付け板が固定された支持板をレール間に当接させて支持板のネジ挿通孔に前面から取付ネジを挿通させてレールのネジ孔に螺合させることにより機器取り付け板を取り付ける。
【実施例１】
【００１２】
本発明に係る機器収納用箱体の実施例１を図１〜図３の添付図面に基づいて説明する。
【００１３】
機器収納用箱体１は、前面を開口した箱体本体２と、この箱体本体２の前面開口部２ａを開閉自在に閉塞する扉体３と、箱体本体２の内側背面に上下方向に平行に設けられる２本のレール４，４と、このレール４，４間に取り付けられる支持板５と、支持板５に取り付けられて電気機器や通信機器などの各種機器を固定する機器取り付け板６とを備えている。
【００１４】
箱体本体２は内側背面の４隅にＵ字溝７ａが形成された取り付け金具７が溶接されて設けられ、取り付け金具７にはボルト８がＵ字溝７ａに係合し第１ナット９で締め付けられて垂設されている。レール４は断面コ字状に形成されて長手方向に複数のネジ孔４ａが形成され、長手方向両端が略Ｕ字状の切欠４ｂが形成され、この切欠４ｂをボルト８に嵌めて第２ナット１０で締め付け固定されている。
【００１５】
支持板５は機器取り付け板６に取り付ける螺子１１が挿通する螺子挿通孔５ａと、レール４に取り付ける取付ネジ１２が挿通するネジ挿通孔５ｂが形成され、機器取り付け板６の上下両端部の背面にネジ挿通孔５ｂの形成された部分が機器取り付け板６の上下両端部から突出するように支持板５を当接させ、螺子挿通孔５ａに背面側から螺子１１を挿通させて螺子１１の先端が機器取り付け板６の表面から突出しないように螺着固定される。
【００１６】
それから、機器取り付け板６が固定された支持板５をレール４，４間に前面側から当接させてレール４のネジ孔４ａと支持板５のネジ挿通孔５ｂの位置を合わせ、支持板５のネジ挿通孔５ｂに取付ネジ１２を前面から挿通させてレール４のネジ孔４ａに螺合させることにより機器取り付け板６はレール４に固定される。レール４のネジ孔４ａ及び支持板５の螺子挿通孔５ａは適宜間隔をおいて複数形成されているので取り付け位置の変更が容易であり、機器取り付け板６のサイズを容易に変更することができる。
【００１７】
このようにして固定された機器取り付け板６の表面には電気機器や通信機器などの各種機器が固定されるが、機器取り付け板６の表面にはボルトやナットが突出しないので機器取り付け板６全体を有効に利用することができ、従来に比べて機器取り付け板の有効面積を拡大することができる。
【００１８】
尚、本実施例において支持板５をレール４に固定する際に取付ネジ１２を用いたが、支持板５をレール４に固定する固定手段について限定はなく、適宜に変更して実施することも可能である。
【実施例２】
【００１９】
本発明に係る機器収納用箱体の実施例２を図４の添付図面に基づいて説明する。尚、実施例１と同一部分については同一符号を付して説明を省略する。
【００２０】
本実施例では、箱体本体２の背面に背面開口部２ｂが形成されている点が実施例１と異なっている。これにより、機器収納用箱体１の組み立て時において機器取り付け板６を支持板５に固定する際に背面開口部２ｂを介して箱体本体２の背面から作業を行うことができる。
【００２１】
また、機器取り付け板６を背面開口部２ｂより小さく形成することで、背面開口部２ｂを通して箱体本体２に配線を引き込むことができる。
【図面の簡単な説明】
【００２２】
【図１】本発明の実施例１に係る機器収納用箱体を示す斜視図である。
【図２】機器収納用箱体を示す要部の分解斜視図である。
【図３】機器取り付け板が取り付けられた箱体本体の要部斜視図である。
【図４】本発明の実施例２に係る機器収納用箱体を示す斜視図である。
【符号の説明】
【００２３】
１    機器収納用箱体
２    箱体本体
４    レール
５    支持板
６    機器取り付け板
１１    螺子
１２    取付ネジ
【図１】
2006296021.tif 000003
【図２】
2006296021.tif 000004
【図３】
2006296021.tif 000005
【図４】
2006296021.tif 000006